(57)【要約】      （修正有）【課題】停止しているヒートポンプ回路によって温水温度が低下することを防ぎ、運転効率の悪化を抑制するヒートポンプサイクル装置を提供する。【解決手段】第１ヒートポンプ回路１０ａと第２ヒートポンプ回路１０ｂとを運転して暖房運転を行い、往き温度Ｔｇが目標温度Ｔｔに到達すれば、第２ヒートポンプ回路１０ｂを停止して第１ヒートポンプ回路１０ａのみ運転し、往き温度Ｔｇが上限温度Ｔｔ１と下限温度Ｔｔ２とで定められる温度範囲内となるように制御される。第１ヒートポンプ回路１０ａのみ運転するときは、三方弁２３のポートｂが閉じられてポートａとポートｃとが連通する状態とされる。これにより、水冷媒熱交換器２ａから流出した温水は、三方弁２３を介してバイパス管３２を流れ、バイパス管３２から温水配管３１に流入して室内ユニット２１へと流れる。【選択図】図２
2015169373.tif 000002
【特許請求の範囲】
【請求項１】
複数のヒートポンプ回路と、暖房温水回路とを有するヒートポンプサイクル装置であって、
複数の前記ヒートポンプ回路はそれぞれ、圧縮機と、水冷媒熱交換器と、流量調整手段と、熱源側熱交換器とが冷媒配管で順次接続して構成され、
前記暖房温水回路は、負荷端末と、循環ポンプと、複数の前記水冷媒熱交換器とが温水配管で順次接続して構成され、
複数の前記ヒートポンプ回路のうち少なくとも１つの前記ヒートポンプ回路の前記水熱交換器をバイパスするバイパス管を有し、
前記負荷端末を運転するとき、
複数の前記ヒートポンプ回路を全て運転するときは、前記バイパス管に温水が流れないようにし、
複数の前記ヒートポンプ回路のうち少なくとも１つの前記ヒートポンプ回路を停止しているときは、前記バイパス管に温水を流すことで、当該ヒートポンプ回路の前記水冷媒熱交換器に温水が流れないようにする、
ことを特徴とするヒートポンプサイクル装置。
【請求項２】
前記暖房温水回路は流路切替手段を有し、
前記流路切替手段は、少なくとも第１接続ポート、第２接続ポート、および、第３接続ポートとを有し、
前記第１接続ポートおよび前記第２接続ポートは、それぞれ前記ヒートポンプ回路の前記水冷媒熱交換器と温水配管で接続され、前記第３接続ポートには前記バイパス管の一端が接続されている、
ことを特徴とする請求項１の記載のヒートポンプサイクル装置。
【発明の詳細な説明】
【技術分野】
【０００１】
本発明は、冷媒と水との間で熱交換を行うヒートポンプサイクル装置に関する。
【背景技術】
【０００２】
従来、冷媒と水との熱交換を行うことで生成した温水を利用して暖房や給湯を行うヒートポンプサイクル装置が知られている。このようなヒートポンプサイクル装置のうち、圧縮機と、冷媒と水との熱交換を行う水冷媒熱交換器と、膨張弁と、熱源側熱交換器とを順次冷媒配管で接続してなる複数のヒートポンプ回路と、上記各水冷媒熱交換器で加熱された温水を、循環ポンプにより床暖房パネルや浴室暖房装置等の暖房端末や貯湯タンク等の給湯端末に循環させる給湯回路とを有するものがある（例えば、特許文献１参照）。
【０００３】
特許文献１に記載のヒートポンプサイクル装置は、２つのヒートポンプ回路と床暖房パネルと貯湯タンクとを有している。一方のヒートポンプ回路の水冷媒熱交換器における水側流路が２つに分割されており、そのうちの１つの水側流路は床暖房パネルに接続されている。もう１つの水側流路は他方のヒートポンプ回路の水冷媒熱交換器における水側流路に直列に接続され、これら直列に接続された２つの水側流路に貯湯タンクが接続されている。このヒートポンプサイクル装置では、貯湯タンクに貯留している水を所定の温度である沸き上げ温度まで加熱する沸き上げ運転を行うときは、各ヒートポンプ回路で水を加熱して貯湯タンクに供給する。このように、複数のヒートポンプ回路を設けることで、例えば、一方のヒートポンプ回路で水を沸き上げ温度の６０％まで加熱し、他方のヒートポンプ回路で残りの４０％を加熱する、というように、各ヒートポンプ回路で沸き上げ運転時に要求される運転能力を分担することができる。そのため、各ヒートポンプ回路での運転効率が最良となるように運転能力の分担率を定めることが可能となり、沸き上げ運転時のヒートポンプサイクル装置の運転効率が向上させることができる。
【先行技術文献】
【特許文献】
【０００４】
【特許文献１】特開２００５−３３７６２６号公報
【発明の概要】
【発明が解決しようとする課題】
【０００５】
特許文献１に記載のヒートポンプサイクル装置では、暖房端末や給湯端末に複数のヒートポンプ回路から温水を供給する場合、暖房端末や給湯端末で要求される温度に応じて、各ヒートポンプ回路における水冷媒熱交換器から流出する温水の温度である往き温度の目標温度を定め、往き温度が目標温度となるように各ヒートポンプ回路の圧縮機が制御される。具体的には、往き温度と目標温度との温度差が大きいときは、圧縮機を所定の高回転数（例えば、７０ｒｐｓ）で運転し続ける。そして、往き温度が目標温度に近づくにつれて圧縮機の回転数を減少させ、往き温度が目標温度に到達した後は、往き温度が目標温度に対し所定温度高い上限温度と所定温度低い下限温度との間の温度となるように、圧縮機の回転数が増減される。
【０００６】
往き温度が上限温度と下限温度との間に収まるように圧縮機の制御を行っているときは、往き温度の温度変化が小さい、つまり、ヒートポンプサイクル装置で要求される運転能力が小さい。この場合、複数のヒートポンプ回路で負荷を分担して運転するのではなく、いずれか一つのヒートポンプ回路のみ運転し他のヒートポンプ回路の圧縮機を停止する方が、ヒートポンプサイクル装置の運転効率が向上する場合がある。しかし、暖房端末や給湯端末に複数のヒートポンプ回路から温水を供給するヒートポンプサイクル装置では、停止しているヒートポンプ回路の水冷媒熱交換器にも温水が流通するので、この水冷媒熱交換器で温水が放熱して温度が低下する虞がある。そして、温水の温度が下限温度以下に低下すれば、温水の温度を再び目標温度まで上昇させるために圧縮機の回転数を上げる、といった不要な運転を行うこととなって、ヒートポンプサイクル装置の運転効率を悪化させる虞があった。
【０００７】
本発明は以上述べた問題点を解決し、停止しているヒートポンプ回路によって温水温度が低下することを防ぎ、運転効率の悪化を抑制するヒートポンプサイクル装置を提供することを目的とする。
【課題を解決するための手段】
【０００８】
本発明は上述の課題を解決するものであって、本発明のヒートポンプサイクル装置は、複数のヒートポンプ回路と暖房温水回路とを有するものであって、複数のヒートポンプ回路はそれぞれ、圧縮機と、水冷媒熱交換器と、流量調整手段と、熱源側熱交換器とが冷媒配管で順次接続して構成され、暖房温水回路は、負荷端末と、循環ポンプと、複数の水冷媒熱交換器とが温水配管で順次接続して構成され、複数のヒートポンプ回路のうち少なくとも１つのヒートポンプ回路の水熱交換器をバイパスするバイパス管を有するものである。そして、負荷端末を運転するとき、複数のヒートポンプ回路を全て運転するときは、バイパス管に温水が流れないようにし、複数のヒートポンプ回路のうち少なくとも１つのヒートポンプ回路を停止しているときは、バイパス管に温水を流すことで、当該ヒートポンプ回路の水冷媒熱交換器に温水が流れないようにするものである。
【発明の効果】
【０００９】
本発明のヒートポンプサイクル装置は、ヒートポンプ回路の水冷媒熱交換器をバイパスするバイパス管を有し、ヒートポンプ回路が停止しているときは、バイパス管に温水が流れるようにして停止しているヒートポンプ回路の水冷媒熱交換器をバイパスさせる。これにより、当該水冷媒熱交換器を温水が流れて温水温度が低下することがなく、ヒートポンプサイクル装置の運転効率の悪化が抑制される。
【図面の簡単な説明】
【００１０】
【図１】本発明の実施形態におけるヒートポンプサイクル装置の構成図であり、第１ヒートポンプ回路および第２ヒートポンプ回路を運転しているときの、冷媒および温水の流れを表している。
【図２】本発明の実施形態におけるヒートポンプサイクル装置の構成図であり、第１ヒートポンプ回路のみ運転しているときの、冷媒および温水の流れを表している。
【発明を実施するための形態】
【００１１】
以下、本発明の実施の形態を、添付図面に基づいて詳細に説明する。実施形態としては、本発明における負荷端末である室内ユニットと２つのヒートポンプ回路とを有し、２つのヒートポンプ回路のうち少なくとも一方のヒートポンプ回路により生成した温水を室内ユニットに循環させて暖房を行うヒートポンプサイクル装置を例に挙げて説明する。尚、本発明は以下の実施形態に限定されることはなく、本発明の主旨を逸脱しない範囲で種々変形することが可能である。
【実施例】
【００１２】
図１は、本発明によるヒートポンプサイクル装置の構成を示している。このヒートポンプサイクル装置１００は、第１ヒートポンプ回路１０ａと、第２ヒートポンプ回路１０ｂと、暖房温水回路３０とを有している。第１ヒートポンプ回路１０ａと第２ヒートポンプ回路１０ｂとは、それぞれが独立して運転できる。
【００１３】
第１ヒートポンプ回路１０ａは、圧縮機１ａと、水冷媒熱交換器２ａと、流量調整手段である膨張弁３ａと、熱源側熱交換器４ａと、アキュムレータ５ａとが、順次冷媒配管１１ａで接続されて構成される。圧縮機１ａは、インバータにより回転数が制御される図示しないモータによって駆動されることで、運転能力を可変できる能力可変型圧縮機である。水冷媒熱交換器２ａは、冷媒配管１１ａに接続される冷媒側流路２ａａと、後述する暖房温水回路３０の温水配管３１に接続される水側流路２ａｂとを有し、冷媒側流路２ａａを流れる冷媒と水側流路２ａｂを流れる水とを熱交換させる。膨張弁３ａは電子膨張弁であり、その開度が調整されることで、熱源側熱交換器４ａに流入する冷媒量を調整する。熱源側熱交換器４ａは、冷媒と、熱源側熱交換器４ａの近傍に配置される室外ファン６ａの回転により熱源側熱交換器４ａに流入する空気とを熱交換させる。アキュムレータ５ａは、熱源側熱交換器４ａから流入した冷媒を液冷媒とガス冷媒とに分離し、ガス冷媒のみを圧縮機１ａに吸入させる。
【００１４】
また、第１ヒートポンプ回路１０ａは、吐出温度センサ５１ａと、冷媒温度センサ５２ａと、熱交温度センサ５３ａと、外気温度センサ５４ａとを有している。吐出温度センサ５１ａは、圧縮機１ａの冷媒吐出側付近の冷媒配管１１ａに設けられ、圧縮機１ａから吐出された冷媒の温度を検出する。冷媒温度センサ５２ａは、水冷媒熱交換器２ａと膨張弁３ａとの間の冷媒配管１１ａに設けられ、水冷媒熱交換器２ａから流出する冷媒の温度を検出する。熱交温度センサ５３ａは、膨張弁３ａと熱源側熱交換器４ａとの間の冷媒配管１１ａに設けられ、熱源側熱交換器５ａに流入する冷媒の温度を検出する。外気温度センサ５４ａは、熱源側熱交換器５ａ近傍に配置され、屋外の温度である外気温度を検出する。
【００１５】
第２ヒートポンプ回路１０ｂは、圧縮機１ｂと、水冷媒熱交換器２ｂと、流量調整手段である膨張弁３ｂと、熱源側熱交換器４ｂと、アキュムレータ５ｂとが、順次冷媒配管１１ｂで接続されて構成される。圧縮機１ｂは、インバータにより回転数が制御される図示しないモータによって駆動されることで、運転能力を可変できる能力可変型圧縮機である。水冷媒熱交換器２ｂは、冷媒配管１１ｂに接続される冷媒側流路２ｂａと、後述する暖房温水回路３０の温水配管３１に接続される水側流路２ｂｂとを有し、冷媒側流路２ｂａを流れる冷媒と水側流路２ｂｂを流れる水とを熱交換させる。膨張弁３ｂは電子膨張弁であり、その開度が調整されることで、熱源側熱交換器４ｂに流入する冷媒量を調整する。熱源側熱交換器４ｂは、冷媒と、熱源側熱交換器４ｂの近傍に配置される室外ファン６ｂの回転により熱源側熱交換器４ｂに流入する空気とを熱交換させる。アキュムレータ５ｂは、熱源側熱交換器４ｂから流入した冷媒を液冷媒とガス冷媒とに分離し、ガス冷媒のみを圧縮機１ｂに吸入させる。
【００１６】
また、第２ヒートポンプ回路１０ｂは、吐出温度センサ５１ｂと、冷媒温度センサ５２ｂと、熱交温度センサ５３ｂと、外気温度センサ５４ｂとを有している。吐出温度センサ５１ｂは、圧縮機１ｂの冷媒吐出側付近の冷媒配管１１ｂに設けられ、圧縮機１ｂから吐出された冷媒の温度を検出する。冷媒温度センサ５２ｂは、水冷媒熱交換器２ｂと膨張弁３ｂとの間の冷媒配管１１ｂに設けられ、水冷媒熱交換器２ｂから流出する冷媒の温度を検出する。熱交温度センサ５３ｂは、膨張弁３ｂと熱源側熱交換器４ｂとの間の冷媒配管１１ｂに設けられ、熱源側熱交換器５ｂに流入する冷媒の温度を検出する。外気温度センサ５４ｂは、熱源側熱交換器５ｂ近傍に配置され、屋外の温度である外気温度を検出する。
【００１７】
暖房温水回路３０は、室内ユニット２１と、循環ポンプ２２と、水冷媒熱交換器２ａと、流路切替手段である三方弁２３と、水冷媒熱交換器２ｂとが、順次温水配管３１で接続されて構成される。室内ユニット２１は、床暖房パネルやラジエタで構成され、室内ユニット２１を流れる温水が、室内ユニット２１が設置された部屋の空気を加熱することで部屋の暖房が行われる。循環ポンプ２２は、能力可変型のポンプであり、循環ポンプ２２が駆動することにより暖房温水回路３０内を温水が循環する。水冷媒熱交換器２ａおよび２ｂは、循環ポンプ２２と室内ユニット２１との間に配置され、水冷媒熱交換器２ａの水側流路２ａｂおよび水冷媒熱交換器２ｂの水側流路２ｂｂが直列接続されて、温水配管３１に接続される。
【００１８】
三方弁２３は、第１接続ポートであるポートａ、第２接続ポートであるポートｂ、第３接続ポートであるポートｃの３つのポートを有している。ポートａは、水冷媒熱交換器２ａの水側流路２ａｂと温水配管３１で接続されている。ポートｂは、水冷媒熱交換器２ｂの水側流路２ｂｂと温水配管３１で接続されている。ポートｃには、水冷媒熱交換器２ｂをバイパスするバイパス管３２の一端が接続されており、バイパス管３２の他端は、水冷媒熱交換器２ｂと室内ユニット２１との間の温水配管３１に接続されている。図１において、三方弁２３は、ポートｃが閉じられてポートａとポートｂとが連通した状態となっている（図１では、開いているポートを白抜き、閉じられているポートｃを黒塗りとしている）。
【００１９】
また、暖房温水回路３０は、第１往き温度センサ５５と、第２往き温度センサ５６とを有している。第１往き温度センサ５５は、三方弁２３側の水冷媒熱交換器２ａ近傍の温水配管３１に設けられ、水冷媒熱交換器２ａから流出する水温である第１往き温度を検出する。第２往き温度センサ５６は、室内ユニット２１側の水冷媒熱交換器２ｂ近傍の温水配管３１に設けられ、水冷媒熱交換器２ｂから流出する水温である第２往き温度を検出する。
【００２０】
次に、本実施形態のヒートポンプサイクル装置１００が、室内ユニット２１による暖房運転を行っているときの運転動作について説明する。まず、図１を用いて、第１ヒートポンプ回路１０ａと第２ヒートポンプ回路１０ｂとを運転しているときの、第１ヒートポンプ回路１０ａ、第２ヒートポンプ回路１０ｂおよび、暖房温水回路３０での各構成装置の動作やこれに伴う冷媒や温水の流れについて説明する。次に、図２を用いて、第１ヒートポンプ回路１０ａのみ運転しているときの、第１ヒートポンプ回路１０ａ、および、暖房温水回路３０での各構成装置の動作やこれに伴う冷媒や温水の流れについて説明する。
【００２１】
尚、図１および図２において、矢印は各回路での冷媒や温水の流れる方向を表している。また、三方弁２３において開いているポートを白抜き、閉じているポートを黒塗りとしている。また、以下の説明では、室内ユニット２１で使用者が設定する暖房運転の設定温度Ｔｉを２４℃、この設定温度Ｔｉを実現するために、室内ユニット２１に流入する温水温度の目標値となる目標温水温度Ｔｔを４０℃、目標温水温度Ｔｔより所定温度（例えば、２℃）高い温度を上限温度Ｔｔ１、目標温水温度Ｔｔより所定温度（例えば、２℃）低い温度を下限温度Ｔｔ２、第１ヒートポンプ回路１０ａと第２ヒートポンプ回路１０ｂとを運転しているときの水冷媒熱交換器２ｂから流出する温水の温度もしくは第１ヒートポンプ回路１０ａのみ運転しているときの水冷媒熱交換器２ａから流出する温水の温度を往き温度Ｔｇとする。
【００２２】
図１に示すように、ヒートポンプサイクル装置１００で暖房運転を開始して往き温度Ｔｇが目標温度Ｔｔに到達するまでは、第１ヒートポンプ回路１０ａと第２ヒートポンプ回路１０ｂとを運転する。このとき、温水暖房回路３０の三方弁２３は、ポートｃが閉じられてポートａとポートｂとが連通する状態とされている。そして、第１ヒートポンプ回路１０ａおよび第２ヒートポンプ回路１０ｂの圧縮機１ａ、１ｂと、暖房温水回路３０の循環ポンプ２２とが駆動されている。
【００２３】
第１ヒートポンプ回路１０ａおよび第２ヒートポンプ回路１０ｂにおいて、圧縮機１ａ、１ｂで圧縮されて吐出された冷媒は、水冷媒熱交換器２ａ、２ｂの冷媒側流路２ａａ、２ｂａに流入する。水冷媒熱交換器２ａ、２ｂの冷媒側流路２ａａ、２ｂａに流入した冷媒は、水冷媒熱交換器２ａ、２ｂの水側流路２ａｂ、２ｂｂを流れる水と熱交換を行って凝縮し、水冷媒熱交換器２ａ、２ｂから流出する。
【００２４】
水冷媒熱交換器２ａ、２ｂから流出した冷媒は、膨張弁３ａ、３ｂを通過する際に減圧されて熱源側熱交換器４ａ、４ｂに流入する。熱源側熱交換器４ａ、４ｂに流入した冷媒は、室外ファン６ａ、６ｂの回転により熱源側熱交換器４ａ、４ｂに流入する空気と熱交換を行って蒸発し、熱源側熱交換器４ａ、４ｂから流出する。そして、熱源側熱交換器４ａ、４ｂから流出した冷媒は、アキュムレータ５ａ、５ｂを介して圧縮機１ａ、１ｂに吸入されて再び圧縮される。
【００２５】
一方、暖房温水回路３０において、循環ポンプ２２の駆動により水冷媒熱交換器２ａの水側流路２ａｂに流入した水は、水冷媒熱交換器２ａの冷媒側流路２ａａを流れる冷媒と熱交換を行って加熱される。このとき、水側流路２ａｂから流出する温水の温度が、目標温水温度Ｔｔより低い第１所定温度Ｔ１（例えば、３０℃）の温水となるよう、圧縮機１ａの回転数、膨張弁３ａの開度、および、室外ファン６ａの回転数がそれぞれ制御される。
水冷媒熱交換器２ａから流出した温水は、三方弁２３を介して水冷媒熱交換器２ｂの水側流路２ｂｂに流入する。
【００２６】
水冷媒熱交換器２ｂの水側流路２ｂｂに流入した水は、水冷媒熱交換器２ｂの冷媒側流路２ｂａを流れる冷媒と熱交換を行ってさらに加熱される。このとき、水側流路２ｂｂから流出する温水の温度が、第２所定温度Ｔ２（＝目標温水温度Ｔｔ：４０℃）の温水となるよう、圧縮機１ｂの回転数、膨張弁３ｂの開度、および、室外ファン６ｂの回転数がそれぞれが制御される。尚、上述した水側流路２ｂｂから流出する温水温度が、第１ヒートポンプ回路１０ａと第２ヒートポンプ回路１０ｂとを運転しているときの往き温度Ｔｇである。
水冷媒熱交換器２ｂから流出した温水は室内ユニット２１に流入し、室内ユニット２１に流入した温水が放熱することで、室内ユニット２１が設置された部屋の暖房がなされる。
【００２７】
以上説明したように、ヒートポンプサイクル装置１００で暖房運転のみを行っているとき、往き温度Ｔｇが目標温度Ｔｔに到達するまでは、第１ヒートポンプ回路１０ａと第２ヒートポンプ回路１０ｂとで運転能力を分担して運転し、室内ユニット２１に流入する温水温度、つまり、往き温度Ｔｇを目標温水温度Ｔｔまで上昇させる。本実施形態においては、第１ヒートポンプ回路１０ａで水を第１所定温度Ｔ１まで上昇させ、第２ヒートポンプ回路１０ｂで第１ヒートポンプ回路１０ａにより加熱された温水を第２所定温度Ｔ２まで上昇させる。このとき、第１所定温度Ｔ１を、第１ヒートポンプ回路１０ａと第２ヒートポンプ回路１０ｂの各運転効率が最良となるように決定することで、ヒートポンプサイクル装置１００の運転効率が向上する。
【００２８】
第１ヒートポンプ回路１０ａと第２ヒートポンプ回路１０ｂとを運転して暖房運転を行い、往き温度Ｔｇが目標温度Ｔｔに到達すれば、図２に示すように、第２ヒートポンプ回路１０ｂを停止して第１ヒートポンプ回路１０ａのみ運転し、往き温度Ｔｇが上限温度Ｔｔ１と下限温度Ｔｔ２とで定められる温度範囲内となるように制御される。具体的には、往き温度Ｔｇが上限温度Ｔｔ１以上となった場合は、圧縮機１ａの回転数を低下させ、これに応じて膨張弁３ａの開度や室外ファン６ａの回転数も制御されることで、往き温度Ｔｇを低下させて目標温水温度Ｔｔとなるようにされる。また、往き温度Ｔｇが下限温度Ｔｔ２以下となった場合は、圧縮機１ａの回転数を上昇させ、これに応じて膨張弁３ａの開度や室外ファン６ａの回転数も制御されることで、往き温度Ｔｇを上昇させて目標温水温度Ｔｔとなるようにされる。
【００２９】
往き温度Ｔｇを所定温度範囲内に収めるようにヒートポンプサイクル装置１００を制御するときは、往き温度Ｔｇの温度変化が小さく（本実施形態の場合、目標温水温度Ｔｔに対し±２℃）、このときに第１ヒートポンプ回路１０ａと第２ヒートポンプ回路１０ｂとで要求される運転能力は小さい。この場合、第１ヒートポンプ回路１０ａと第２ヒートポンプ回路１０ｂとに運転能力を分担するのではなく、第２ヒートポンプ回路１０ｂを停止して第１ヒートポンプ回路１０ａのみ運転することで、第２ヒートポンプ回路１０ｂにおける消費電力をゼロとしてヒートポンプサイクル装置１００の運転効率を向上させる。
【００３０】
上記のように、第１ヒートポンプ回路１０ａのみ運転するときは、図２に示すように、三方弁２３のポートｂが閉じられてポートａとポートｃとが連通する状態とされる。これにより、水冷媒熱交換器２ａから流出した温水は、三方弁２３を介してバイパス管３２を流れ、バイパス管３２から温水配管３１に流入して室内ユニット２１へと流れる。つまり、水冷媒熱交換器２ａから流出した温水は、停止している第２ヒートポンプ回路１０ｂの水冷媒熱交換器２ｂ（の水側流路２ｂｂ）を流れずに室内ユニット２１に流入する。
【００３１】
停止している第２ヒートポンプ回路１０ｂでは、冷媒配管１１ｂを冷媒が循環していないので、水冷媒熱交換器２ｂの冷媒側流路２ｂａに高温高圧の冷媒が流通していない。この状態で水冷媒熱交換器２ｂの水側流路２ｂａに水冷媒熱交換器２ａから流出した温水が流入すれば、温水温度が低下する。そして、温度が低下した温水が室内ユニット２１に流入することで、室内ユニット２１における暖房能力が低下する。また、室内ユニット２１から流出する温水温度が低下することで、水冷媒熱交換器２ａにおける温水の加熱量が増大し、圧縮機１ａの回転数を必要以上に上昇させることとなるので、ヒートポンプサイクル装置１００の運転効率が悪化する。
【００３２】
しかし、本発明のヒートポンプサイクル装置１００では、前述したように、第２ヒートポンプ回路１０ｂを停止させているときは、三方弁２３を切り換えてバイパス管３２に温水が流れるようにすることで、水冷媒熱交換器２ｂに温水が流れないようにしている。このため、水冷媒熱交換器２ｂで温水温度が低下することに起因する室内ユニット２１における暖房能力の低下や、ヒートポンプサイクル装置１００の運転効率の悪化を防ぐことができる。
【００３３】
以上説明した通り、本発明のヒートポンプサイクル装置は、ヒートポンプ回路の水冷媒熱交換器をバイパスするバイパス管を有し、ヒートポンプ回路が停止しているときは、バイパス管に温水が流れるようにして停止しているヒートポンプ回路の水冷媒熱交換器をバイパスさせる。これにより、当該水冷媒熱交換器を温水が流れて温水温度が低下することがなく、ヒートポンプサイクル装置の運転効率の悪化が抑制される。
【００３４】
尚、以上説明した実施形態では、第１ヒートポンプ回路１０ａと第２ヒートポンプ回路１０ｂとで、室内ユニット２１に温水を供給するヒートポンプサイクル装置１００を例に挙げて説明したが、ヒートポンプ回路が３つ以上存在し、停止するヒートポンプ回路の水冷媒熱交換器の水側流路をバイパスできるようバイパス管が配置されていてもよい。また、室内ユニット２１の代わりに、貯湯タンクや風呂の給湯装置等の給湯端末であってもよい。
【符号の説明】
【００３５】
１ａ、１ｂ  圧縮機
２ａ、２ｂ  水冷媒熱交換器
２ａａ、２ｂａ  冷媒側流路
２ａｂ、２ｂｂ  水側流路
１０ａ  第１ヒートポンプ回路
１０ｂ  第２ヒートポンプ回路
１１ａ、１１ｂ  冷媒配管
２１  室内ユニット
２２  循環ポンプ
２３  三方弁
２３ａ  水側流路
２３ｂ  冷媒側流路
３０  暖房温水回路
３１  温水配管
４０  給湯冷媒回路
４１  往き冷媒配管
４２  戻り冷媒配管
５５  第１往き温度センサ
５６  第２往き温度センサ
５７  第３往き温度センサ
１００、２００  ヒートポンプサイクル装置
Ｔｉ  設定温度
Ｔｔ  目標温水温度
Ｔｔ１  上限温度
Ｔｔ２  下限温度
Ｔｇ  往き温度
【図１】
2015169373.tif 000003
【図２】
2015169373.tif 000004